(57)【要約】　　　（修正有）【課題】各座席に個室的な雰囲気を与え、睡眠や、仕事の書類に目を通すといった作業が自由に行え、よりゆったりとした気分で旅行等を楽しむことのできるバスを提供する。【解決手段】　複数の座席３ａを、所定間隔をあけて左右方向に並列設した座席群３を、前後方向に複数並べたバスにおいて、前記座席とその左右方向に隣接する座席との間に座席カーテンを設け、前記座席カーテンの上部を、その向こう側が視覚できる格子状部とし、前記座席カーテンをカーテンレール５に沿って開閉自在とし、前記座席カーテンと前記カーテンレールを連結する複数のランナーのうち、少なくとも最前部または最後部のランナーをマグネットランナーとし、カーテンレールに設けたストッパーに磁力で組付き自在としてある。【選択図】図２
0003100176.tif 000002
【実用新案登録請求の範囲】
【請求項１】
　複数の座席（３ａ）を，所定間隔をあけて左右方向に並列設した座席群（３）を，前後方向に複数並べたバスにおいて、前記座席とその左右方向に隣接する座席との間に座席カーテン（１）を設けてなるカーテン付バス。
【請求項２】
　複数の座席（３ａ）を，所定間隔をあけて左右方向に並列設した座席群（３）を，前後方向に複数並べたバスにおいて、前記座席とその左右方向に隣接する座席との間に座席カーテン（１）を設け，トイレ（４）の出入口（４ａ）の前に遮蔽カーテン（２）を設けてなるカーテン付バス。
【請求項３】
　複数の座席（３ａ）を，所定間隔をあけて左右方向に並列設した座席群（３）を，前後方向に複数並べたバスにおいて、前記座席とその左右方向に隣接する座席との間に座席カーテン（１）を設け、前記座席カーテンの上部を，その向こう側が視覚できる格子状部（１ａ）とし、前記座席カーテンをカーテンレール（５）に沿って開閉自在とし、前記座席カーテンと前記カーテンレールを連結する複数のランナー（６）のうち，少なくとも最前部または最後部のランナーをマグネットランナー（６ａ）とし，前記カーテンレールに設けたストッパー（７）に磁力で組付き自在としてなるカーテン付バス。
【請求項４】
　複数の座席（３ａ）を，所定間隔をあけて左右方向に並列設した座席群（３）を，前後方向に複数並べたバスにおいて、前記座席とその左右方向に隣接する座席との間に座席カーテン（１）を設け、前記座席カーテンの上部を，その向こう側が視覚できる格子状部（１ａ）とし、前記座席カーテンをカーテンレール（５）に沿って開閉自在とし、前記座席カーテンと前記カーテンレールを連結する複数のランナー（６）のうち，少なくとも最前部または最後部のランナーをマグネットランナー（６ａ）とし，前記カーテンレールに設けたストッパー（７）に磁力で組付き自在とし、前記座席カーテンに，該座席カーテンを非使用時に束ねるための接離自在テープ（９）を備えた紐片（８）を取付けてなるカーテン付バス。
【考案の詳細な説明】
【技術分野】
【０００１】
　本考案は、左右方向に並列設した座席と座席との間、およびトイレの出入口の前にカーテンを設けたバスに関するものである。
【背景技術】
【０００２】
　近年、高速バス等には、乗客に広い座席空間を提供するために、左右方向に三席の座席を、各座席間に一定の距離を設けて配置したものがある。こうしたバスは、各座席が独立しているので、乗客はゆったりとした気分で旅行等を満喫することができる。
【特許文献１】特開平７−１４９１４６号公報
【考案の開示】
【考案が解決しようとする課題】
【０００３】
　しかし、各座席間に一定の距離があるものの、各座席は周囲から視覚されるので、例えば、ゆっくりと睡眠をとりたい場合や、仕事の書類に目を通したい場合等、周囲の乗客等が気になってそうしたことができ難いといったことがある。
【０００４】
　本考案はこうした点に鑑み創案されたもので、各座席に個室的な雰囲気を与え、睡眠や、仕事の書類に目を通すといった作業が自由に行え、よりゆったりとした気分で旅行等を楽しむことのできるバスを提供することを課題とする。
【課題を解決するための手段】
【０００５】
　図１乃至図６を参照して説明する。請求項１に記載のカーテン付バスは、複数の座席３ａを、所定間隔をあけて左右方向に並列設した座席群３を、前後方向に複数並べたバスにおいて、前記座席３ａとその左右方向に隣接する座席３ａとの間に座席カーテン１を設けてなるものである。
【０００６】
　請求項２に記載のカーテン付バスは、複数の座席３ａを、所定間隔をあけて左右方向に並列設した座席群３を、前後方向に複数並べたバスにおいて、前記座席３ａとその左右方向に隣接する座席との間に座席カーテン１を設け、トイレ４の出入口４ａの前に遮蔽カーテン２を設けてなるものである。
【０００７】
　請求項３に記載のカーテン付バスは、複数の座席３ａを、所定間隔をあけて左右方向に並列設した座席群３を、前後方向に複数並べたバスにおいて、前記座席３ａとその左右方向に隣接する座席３ａとの間に座席カーテン１を設け、前記座席カーテン１の上部を、その向こう側が視覚できる格子状部１ａとし、前記座席カーテン１をカーテンレール５に沿って開閉自在とし、前記座席カーテン１と前記カーテンレール５を連結する複数のランナー６のうち、少なくとも最前部または最後部のランナー６をマグネットランナー６ａとし、前記カーテンレール５に設けたストッパー７に磁力で組付き自在としてなるものである。
【０００８】
　請求項４に記載のカーテン付バスは、複数の座席３ａを、所定間隔をあけて左右方向に並列設した座席群３を、前後方向に複数並べたバスにおいて、前記座席３ａとその左右方向に隣接する座席３ａとの間に座席カーテン１を設け、前記座席カーテン１の上部を、その向こう側が視覚できる格子状部１ａとし、前記座席カーテン１をカーテンレール５に沿って開閉自在とし、前記座席カーテン１と前記カーテンレール５を連結する複数のランナー６のうち、少なくとも最前部または最後部のランナー６をマグネットランナー６ａとし、前記カーテンレール５に設けたストッパー７に磁力で組付き自在とし、前記座席カーテン１に、該座席カーテン１を非使用時に束ねるための接離自在テープ９を備えた紐片８を取付けてなるものである。
【考案の効果】
【０００９】
　請求項１に記載の考案は、複数の座席３ａを、所定間隔をあけて左右方向に並列設した座席群３を、前後方向に複数並べたバスにおいて、座席３ａとその左右方向に隣接する座席３ａとの間に座席カーテン１を設けたので、各座席３ａに個室的な雰囲気を与えることができ、ゆったりと睡眠をとったり、落ち着いて書類に目を通すなどといった仕事等を行うことができる。
【００１０】
　請求項２に記載の考案は、請求項１に記載の考案と同様の効果を発揮すると共に、トイレ４の出入口４ａの前に遮蔽カーテン２を設けたので、この遮蔽カーテン２によって出入口４ａを隠すことができる。従って、トイレ４を使用する乗客や出入口４ａの近くの座席３ａに座っている乗客を不快にさせることがない。
【００１１】
　請求項３に記載の考案は、請求項１に記載の考案と同様の効果を発揮すると共に、座席カーテン１の上部を、その向こう側が視覚できる格子状部１ａとしたので、ゆったりととした個室的雰囲気の座席３ａから外の景色を眺めることができる。また、座席カーテン１をカーテンレール５に沿って開閉自在としたので、必要に応じて自在に開閉することができる。さらに、座席カーテン１とカーテンレール５を連結する複数のランナー６のうち、少なくとも最前部または最後部のランナー６をマグネットランナー６ａとし、カーテンレール５に設けたストッパー７に磁力で組付き自在としたので、座席カーテン１が勝手に動いてしまうことがない。
【００１２】
　請求項４に記載の考案は、請求項１および３に記載の考案と同様の効果を発揮すると共に、座席カーテン１に、当該座席カーテン１を非使用時に束ねるための接離自在テープ９を備えた紐片８を取付けたので、束ねておくことにより、非使用時の座席カーテン１が勝手に開いて乗客の邪魔になるといったことがない。
【考案を実施するための最良の形態】
【００１３】
　本考案に係るカーテン付バスの実施形態を、図１乃至図６に示す。このカーテン付バスは、三つの座席３ａを、それぞれ所定間隔をあけて左右方向に並列設した座席群３を、前後方向に多数並べたバスにおいて、全ての座席３ａとその左右方向に隣接する座席３ａとの間に座席カーテン１を設けたものである。これによって、各座席３ａに個室的な雰囲気を与えることができ、乗客は、ゆったりとした気分で旅行等を楽しむことができる。
【００１４】
　また、本実施形態では、各座席カーテン１の上部を、その向こう側が視覚できる格子状部１ａとしており、これにより、格子状部１ａを通して外の景色を楽しむことができる。
【００１５】
　また、この座席カーテン１は、カーテンレール５に沿って開閉自在とされている。従って、必要に応じて自由に開閉することができる。さらに、この座席カーテン１は、それとカーテンレール５を連結する複数のランナー６のうち、最前部のランナー６をマグネットランナー６ａとし、カーテンレール５に設けたストッパー７に磁力で組付き自在としている。従って、座席カーテン１の最前部を固定することができ、当該座席カーテン１が風などによって不用意に移動するのを防止することができる。これにより、個室的な雰囲気をより確実に現出することができる。
【００１６】
　さらに、本実施形態においては、座席カーテン１に、当該座席カーテン１を非使用時に束ねるための接離自在（マジックテープ（商標））９を備えた紐片８を取付けている。従って、非使用時の座席カーテン１を、この紐片８で束ねて、接離自在テープ９で固定することができるので、座席カーテン１が乗客等の邪魔になることがない。
【００１７】
　またさらに、本実施形態に係るカーテン付バスは、トイレ４の出入口４ａの前に遮蔽カーテン２を設けている。これにより、当該出入口４ａを隠すことができ、トイレ４を使用する乗客およびトイレ４の近くの座席３ａに座っている乗客に不快な思いをさせることがない。
【００１８】
　なお、本実施形態におけるカーテン付バスは、三つの座席３ａのそれぞれの間に所定間隔をあけたものであるが、本考案はこれに限定されるものではなく、例えば、左側と右側にそれぞれ二つの座席３ａを接触させて設け、その中央通路部分に座席カーテン１を設けることもできる。
【産業上の利用可能性】
【００１９】
　本考案は、バスのみでなく、電車、新幹線、飛行機等の他の乗り物にも適用することができる。
【図面の簡単な説明】
【００２０】
【図１】本考案に係るカーテン付バスの実施形態を示す側面図である。
【図２】図１に示す実施形態の平面図である。
【図３】図２のＡ−Ａ線断面図である。
【図４】図２のＢ−Ｂ線断面図である。
【図５】図１に示す実施形態の座席カーテンを示す側面図である。
【図６】図１に示す実施形態のカーテンレールとランナーを示す側面図である。
【符号の説明】
【００２１】
　１　　　座席カーテン
　１ａ　　格子状部
　２　　　遮蔽カーテン
　３　　　座席群
　３ａ　　座席
　４　　　トイレ
　４ａ　　出入口
　５　　　カーテンレール
　６　　　ランナー
　６ａ　　マグネットランナー
　７　　　ストッパー
　８　　　紐片
　９　　　接離自在テープ
【図１】
0003100176.tif 000003
【図２】
0003100176.tif 000004
【図３】
0003100176.tif 000005
【図４】
0003100176.tif 000006
【図５】
0003100176.tif 000007
【図６】
0003100176.tif 000008